(57)【特許請求の範囲】
【請求項１】
吸引装置の稼働により口腔内の唾液や洗浄液等を吸引して口腔外に排出する吸引ブラシであって、
棒状の胴本体と、
前記胴本体に取り付けられた吸引調整部材とを備え、
前記胴本体は、
軸方向内部に延びる通気路が形成されると共に、その側壁に形成され前記通気路に接続する調整口を有する胴部と、
前記胴部の先端側に形成され、前記通気路に接続し、前記吸引装置の稼働により吸引力が発揮される吸引口を有する清掃部と、
前記胴部の後端側に形成され、前記通気路に接続し、前記吸引口から吸引した前記口腔内の唾液や洗浄液等を前記胴部外部へ排出する排出口を有する排出部とからなり、
前記吸引調整部材は、前記調整口を非通気状態に塞ぐ第１の位置と、その端部が前記調整口に対して所定距離離れた通気状態で前記調整口を覆う第２の位置との間で前記胴部の軸方向にスライド自在に前記胴部に係合し、常に前記調整口を覆っている、吸引ブラシ。
【請求項２】
前記胴部の表面であって、前記吸引調整部材が前記第１の位置にあるときは前記吸引調整部材によって覆われていないが前記吸引調整部材が前記第２の位置にあるときは前記吸引調整部材によって覆われている位置に、吸引状態にある旨を示す第１の表示が付されており、
前記胴部の表面であって、前記吸引調整部材が前記第１の位置にあるときは前記吸引調整部材によって覆われているが前記吸引調整部材が前記第２の位置にあるときは前記吸引調整部材によって覆われていない位置に、非吸引状態にある旨を示す第２の表示が付されている、請求項１記載の吸引ブラシ。
【請求項３】
前記吸引調整部材は、前記第１の位置において前記調整口の周囲全体に対して密着し、前記第２の位置において前記調整口の露出面の上方において前記胴部の外面から一定距離だけ離れる平行状態となるように形成される、請求項１又は請求項２記載の吸引ブラシ。
【請求項４】
前記露出面は、その面積が１２〜４０（ｍｍ２）の範囲内であり、
前記露出面に対する平行面における前記胴部の幅の投影距離は、１０〜１３（ｍｍ）の範囲内であり、
前記一定距離をＡ（ｍｍ）とすると、
０．５≦Ａ≦５．０
を満たす、請求項３記載の吸引ブラシ。
【請求項５】
前記露出面は、その面積が１２〜４０（ｍｍ２）の範囲内であり、
前記露出面に対する平行面における前記胴部の幅の投影距離は、１０〜１３（ｍｍ）の範囲内であり、
前記一定距離をＢ（ｍｍ）とすると、
０＜Ｂ≦２
を満たす、請求項３記載の吸引ブラシ。
【請求項６】
前記露出面は、その面積が１２〜４０（ｍｍ２）の範囲内であり、
前記露出面に対する平行面における前記胴部の幅の投影距離は、１０〜１３（ｍｍ）の範囲内であり、
前記一定距離をＣ（ｍｍ）とすると、
１．０≦Ｃ
を満たす、請求項３記載の吸引ブラシ。
【請求項７】
前記吸引調整部材は、前記第１の位置において前記調整口の周囲全体に対して密着し、前記第２の位置において前記調整口の露出面の上方において外方方向に拡がる傾斜状態となるように形成される、請求項１又は請求項２記載の吸引ブラシ。
【請求項８】
前記露出面は、その面積が１２〜４０（ｍｍ２）の範囲内であり、
前記露出面に対する平行面における前記胴部の幅の投影距離は、１０〜１３（ｍｍ）の範囲内であり、
前記吸引調整部材は、前記傾斜状態の傾斜角度をＤ（度）とすると、
１０≦Ｄ≦７０
を満たす、請求項７記載の吸引ブラシ。
【請求項９】
前記露出面は、その面積が１２〜４０（ｍｍ２）の範囲内であり、
前記露出面に対する平行面における前記胴部の幅の投影距離は、１０〜１３（ｍｍ）の範囲内であり、
前記吸引調整部材は、前記傾斜状態の傾斜角度をＥ（度）とすると、
０＜Ｅ≦２０
を満たす、請求項７記載の吸引ブラシ。
【請求項１０】
前記露出面は、その面積が１２〜４０（ｍｍ２）の範囲内であり、
前記露出面に対する平行面における前記胴部の幅の投影距離は、１０〜１３（ｍｍ）の範囲内であり、
前記吸引調整部材は、前記傾斜状態の傾斜角度をＦ（度）とすると、
２０≦Ｆ
を満たす、請求項７記載の吸引ブラシ。
【発明の詳細な説明】
【技術分野】
【０００１】
この発明は吸引ブラシに関し、特に、医療や介護等の場面において用いられ、口腔内の唾液や洗浄液等を吸引して口腔外に排出する吸引ブラシに関するものである。
【背景技術】
【０００２】
従来から、歯ブラシの自力使用が困難な患者や被介護者等に対して、医療関係者や介護者等の第三者がブラッシングをする場合がある。そのような場合、特に口腔内に溜まった唾液や洗浄液等の自力での吐き出しが困難な人に対する使用に便宜な、ブラッシングと同時に歯ブラシ先端部に備えられた吸引口から唾液や洗浄液等を吸引し、口腔外に排出する吸引ブラシが存在する。
【０００３】
図２０は特許文献１で開示された従来の吸引ブラシを示す正面図であって、（１）はその全体構造を示すものであり、（２）はその使用状態を示すものである。
【０００４】
まず図の（１）を参照して、吸引ブラシ６１は、合成樹脂等からなる棒状の胴本体７１から構成されている。
【０００５】
胴本体７１は、軸方向内部に延びる通気路８１が形成されると共に、その側壁に形成され通気路８１に接続する調整口８３を有する胴部７３と、胴部７３の先端側に形成され、通気路８１に接続する吸引口８２を有する清掃部７２と、胴部７３の後端側に形成され、通気路８１に接続する排出口８４を有する排出部７４とから構成されている。
【０００６】
次に図の（２）を参照して、吸引ブラシ６１は、排出部７４が吸引装置接続チューブ４２を介して吸引装置４１と接続されている。
【０００７】
吸引ブラシ６１の使用に際しては、まず、吸引装置４１を稼働させ、図の実線で描いた矢印の方向に働く吸引を開始する。次に、使用者が指４３で調整口８３を押さえておくことで、通気路８１を介して先端の吸引口８２からの吸引力が発揮される。このような吸引状態において、清掃部材７９によって口腔内のブラッシングを行いながら、吸引口８２から唾液や洗浄液を吸引することができる。又、指４３を調整口８３から離すことで、調整口８３からの吸引が主となり、吸引口８２からの吸引力は著しく低下し、非吸引状態となる。即ち、この非吸引状態にあっては、調整口８３からの通気路８１への合流部までの通気抵抗と吸引口８２からの該合流部までの通気抵抗とが同一状態となるように吸引量が変化する結果である。このように、指４３の調整口８３への着脱によって、先端の吸引口８２からの吸引力を調整でき、例えばブラッシングと吸引を同時に行う場合には吸引状態にし、又は口腔内から離れて洗浄液に漬ける場合には非吸引状態にする等、それぞれの状態に自在に切り替えることができるものである。
【０００８】
しかし、従来の吸引ブラシ６１は吸引力の調整を使用者の指４３を用いて行うため、指４３の使用が拘束され、吸引ブラシ６１の方向を適宜変えながらブラッシングする際等に不便が生じていた。このような不便を解消するため、従来の第２の吸引ブラシ６６が存在する。
【０００９】
図２１は従来の他の吸引ブラシ６６の全体構造を示す正面図であって、（１）は吸引調整部材が第１の位置にあるときのものであり、（２）は吸引調整部材が第２の位置にあるときのものである。
【００１０】
まず図の（１）を参照して、吸引ブラシ６６は、合成樹脂等からなる棒状の胴本体７１と合成樹脂等からなる吸引調整部材６８とから構成されている。胴本体７１の構成及び作用は、従来の吸引ブラシ６１のものと基本的に同様であるので説明を繰り返さない。
【００１１】
吸引調整部材６８は、（１）に示す第１の位置と（２）に示す第２の位置との間でスライド自在に吸引ブラシ６６の胴本体７１に係合している。又、第１の位置又は第２の位置において吸引調整部材６８は胴本体７１と係止する。更に、図の（１）又は（２）の一点鎖線で描いた矢印の方向にスライドさせることで第１の位置と第２の位置とを切り替えることができる。
【００１２】
（１）に示す第１の位置にあっては、吸引調整部材６８が調整口８３の周囲全体に対して密着しており調整口８３は通気できない非通気状態にあるため、先端の吸引口８２からの吸引力が発揮される吸引状態である。一方、（２）に示す第２の位置にあっては、調整口８３が吸引調整部材６８に覆われておらず自由に通気できる通気状態にあるため、先端の吸引口８２からの吸引力は著しく低下しており非吸引状態である。
【００１３】
このように、従来の吸引ブラシ６６は、吸引調整部材６８をスライドさせ第１の位置と第２の位置とに切り替えることによって非吸引状態と吸引状態とを切り替えることができるため、使用に際して使用者の指の使用が拘束される不便がない。
【先行技術文献】
【特許文献】
【００１４】
【特許文献１】特開２００６−１７４８５７号公報
【発明の概要】
【発明が解決しようとする課題】
【００１５】
しかし、上記のような従来の吸引ブラシ６６では、使用に際して、先端の吸引口８２から吸引した唾液や洗浄液等が調整口８３からも少量排出されることがあった。
【００１６】
調整口８３から排出され露出する唾液や洗浄液等は外観上好ましくない。又、吸引ブラシ６６を通常使用するのはゴム手袋等を着けた医療関係者や介護者等であるため、使用を続けた際に調整口８３から排出された唾液や洗浄液等がそのゴム手袋に触れる虞があり、衛生上好ましくないと共に手を滑らせてしまう問題があった。
【００１７】
この発明は、上記のような課題を解決するためになされたもので、調整口から排出される唾液や洗浄液等が外部から見えたり触れたりすることのない吸引ブラシを提供することを目的とする。
【課題を解決するための手段】
【００１８】
上記の目的を達成するために、請求項１記載の発明は、吸引装置の稼働により口腔内の唾液や洗浄液等を吸引して口腔外に排出する吸引ブラシであって、棒状の胴本体と、胴本体に取り付けられた吸引調整部材とを備え、胴本体は、軸方向内部に延びる通気路が形成されると共に、その側壁に形成され通気路に接続する調整口を有する胴部と、胴部の先端側に形成され、通気路に接続し、吸引装置の稼働により吸引力が発揮される吸引口を有する清掃部と、胴部の後端側に形成され、通気路に接続し、吸引口から吸引した口腔内の唾液や洗浄液等を胴部外部へ排出する排出口を有する排出部とからなり、吸引調整部材は、調整口を非通気状態に塞ぐ第１の位置と、その端部が調整口に対して所定距離離れた通気状態で調整口を覆う第２の位置との間で胴部の軸方向にスライド自在に胴部に係合し、常に調整口を覆っているものである。
【００１９】
このように構成すると、調整口は常に吸引調整部材に覆われる。
【００２０】
請求項２記載の発明は、請求項１記載の発明の構成において、胴部の表面であって、吸引調整部材が第１の位置にあるときは吸引調整部材によって覆われていないが吸引調整部材が第２の位置にあるときは吸引調整部材によって覆われている位置に、吸引状態にある旨を示す第１の表示が付されており、胴部の表面であって、吸引調整部材が第１の位置にあるときは吸引調整部材によって覆われているが吸引調整部材が第２の位置にあるときは吸引調整部材によって覆われていない位置に、非吸引状態にある旨を示す第２の表示が付されているものである。
【００２１】
このように構成すると、吸引調整部材の位置に応じて、吸引状態又は非吸引状態を示す表示が現れる。
【００２２】
請求項３記載の発明は、請求項１又は請求項２記載の発明の構成において、吸引調整部材は、第１の位置において調整口の周囲全体に対して密着し、第２の位置において調整口の露出面の上方において胴部の外面から一定距離だけ離れる平行状態となるように形成されるものである。
【００２３】
このように構成すると、吸引調整部材がコンパクトになる。
【００２４】
請求項４記載の発明は、請求項３記載の発明の構成において、露出面は、その面積が１２〜４０（ｍｍ２）の範囲内であり、露出面に対する平行面における胴部の幅の投影距離は、１０〜１３（ｍｍ）の範囲内であり、一定距離をＡ（ｍｍ）とすると、
０．５≦Ａ≦５．０
を満たすものである。
【００２５】
請求項５記載の発明は、請求項３記載の発明の構成において、露出面は、その面積が１２〜４０（ｍｍ２）の範囲内であり、露出面に対する平行面における胴部の幅の投影距離は、１０〜１３（ｍｍ）の範囲内であり、一定距離をＢ（ｍｍ）とすると、
０＜Ｂ≦２
を満たすものである。
【００２６】
請求項６記載の発明は、請求項３記載の発明の構成において、露出面は、その面積が１２〜４０（ｍｍ２）の範囲内であり、露出面に対する平行面における胴部の幅の投影距離は、１０〜１３（ｍｍ）の範囲内であり、一定距離をＣ（ｍｍ）とすると、
１．０≦Ｃ
を満たすものである。
【００２７】
請求項７記載の発明は、請求項１又は請求項２記載の発明の構成において、吸引調整部材は、第１の位置において調整口の周囲全体に対して密着し、第２の位置において調整口の露出面の上方において外方方向に拡がる傾斜状態となるように形成されるものである。
【００２８】
このように構成すると、吸引調整部材が操作し易くなる。
【００２９】
請求項８記載の発明は、請求項７記載の発明の構成において、露出面は、その面積が１２〜４０（ｍｍ２）の範囲内であり、露出面に対する平行面における胴部の幅の投影距離は、１０〜１３（ｍｍ）の範囲内であり、吸引調整部材は、傾斜状態の傾斜角度をＤ（度）とすると、
１０≦Ｄ≦７０
を満たすものである。
【００３０】
請求項９記載の発明は、請求項７記載の発明の構成において、露出面は、その面積が１２〜４０（ｍｍ２）の範囲内であり、露出面に対する平行面における胴部の幅の投影距離は、１０〜１３（ｍｍ）の範囲内であり、吸引調整部材は、傾斜状態の傾斜角度をＥ（度）とすると、
０＜Ｅ≦２０
を満たすものである。
【００３１】
請求項１０記載の発明は、請求項７記載の発明の構成において、露出面は、その面積が１２〜４０（ｍｍ２）の範囲内であり、露出面に対する平行面における胴部の幅の投影距離は、１０〜１３（ｍｍ）の範囲内であり、吸引調整部材は、傾斜状態の傾斜角度をＦ（度）とすると、
２０≦Ｆ
を満たすものである。
【発明の効果】
【００３２】
以上説明したように、請求項１記載の発明は、調整口は常に吸引調整部材に覆われるため、吸引量を変化させても使用状態が安定する。
【００３３】
請求項２記載の発明は、請求項１記載の発明の効果に加えて、吸引調整部材の位置に応じて、吸引状態又は非吸引状態を示す表示が現れるため、吸引調整部材によって常に調整口が覆われていても、直感的に吸引が可能であるかの判断が可能となる。
【００３４】
請求項３記載の発明は、請求項１又は請求項２記載の発明の効果に加えて、吸引調整部材がコンパクトになるため、使用勝手が向上すると共に包装や輸送に有利となる。
【００３５】
請求項４記載の発明は、請求項３記載の発明の効果に加えて、吸引調整部材が第２の位置にあるとき十分な非吸引効果を発揮し、且つ、使用勝手が向上する。
【００３６】
請求項５記載の発明は、請求項３記載の発明の効果に加えて、隙間の距離を変化させればそれに伴い吸引力も指数関数的に変化するので、所望の吸引力を発揮させるような設計に都合が良い。
【００３７】
請求項６記載の発明は、請求項３記載の発明の効果に加えて、吸引調整部材が第２の位置にあるとき、吸引調整部材によって調整口が覆われているにも拘らず、吸引調整部材がない場合と同程度の優れた非吸引効果を発揮することができる。
【００３８】
請求項７記載の発明は、請求項１又は請求項２記載の発明の効果に加えて、吸引調整部材が操作し易くなるため、使用勝手が向上する。
【００３９】
請求項８記載の発明は、請求項７記載の発明の効果に加えて、吸引調整部材が第２の位置にあるとき十分な非吸引効果を発揮し、且つ、使用勝手が向上する。
【００４０】
請求項９記載の発明は、請求項７記載の発明の効果に加えて、傾斜角度を変化させればそれに伴い吸引力も指数関数的に変化するので、所望の吸引力を発揮させるような設計に都合が良い。
【００４１】
請求項１０記載の発明は、請求項７記載の発明の効果に加えて、吸引調整部材が第２の位置にあるとき、吸引調整部材によって調整口が覆われているにも拘らず、吸引調整部材がない場合と同程度の優れた非吸引効果を発揮することができる。
【図面の簡単な説明】
【００４２】
【図１】この発明の第１の実施の形態による吸引ブラシの外観構造を示す概略正面図である。
【図２】図１で示したＩＩ−ＩＩラインの拡大端面図である。
【図３】図１で示したＩＩＩ−ＩＩＩラインの拡大端面図である。
【図４】図１において、吸引調整部材を取り付けた吸引ブラシの外観構造及び内部構造を示す概略正面図であって、（１）は吸引調整部材が第１の位置にあるときのものであり、（２）は吸引調整部材が第２の位置にあるときのものである。
【図５】図４で示した“Ｘ”部分の拡大図であって、（１）はその係合状態を示すものであり、（２）はその断面構造を示すものである。
【図６】図４で示した“Ｙ”部分の拡大図であって、（１）はその係合状態を示すものであり、（２）はその断面構造を示すものである。
【図７】図１で示した吸引ブラシを、調整口を上方から見た外観構造を示す概略平面図であって、（１）は吸引調整部材が第１の位置にあるときのものであり、（２）は吸引調整部材が第２の位置にあるときのものである。
【図８】図１において、隙間の距離の異なる吸引調整部材を用いた吸引ブラシの内部構造を示す拡大図であって、（１）は隙間の距離が相対的に短いものであり、（２）は隙間の距離が相対的に長いものである。
【図９】図８で示したＩＸ−ＩＸラインの端面図である。
【図１０】図８で示したＸ−Ｘラインの拡大端面図である。
【図１１】この発明の第２の実施の形態による吸引ブラシであって、傾斜角度の異なる吸引調整部材を用いたものの内部構造を示す拡大図であって、図８に対応するものであり、（１）は傾斜角度が相対的に小さいものであり、（２）は傾斜角度が相対的に大きいものである。
【図１２】図１１で示したＸＩＩ−ＸＩＩラインの端面図である。
【図１３】この発明の他の実施の形態による吸引ブラシの胴部周辺の形態を示す正面図である。
【図１４】この発明の更に他の実施の形態による吸引ブラシの吸引調整部材の形態を示す拡大正面図である。
【図１５】この発明の更に他の実施の形態による吸引ブラシの清掃部の形態を示す拡大正面図である。
【図１６】各実施の形態に対応する吸引ブラシの吸引力を測定する実験の仕組みを示す模式図である。
【図１７】図１６で示した中空筒であって、調整口の大きさの異なるものを示す概略平面図であって、（１）は調整口の大きさが相対的に小さいものであり、（２）は調整口の大きさが相対的に大きいものである。
【図１８】実施例１の結果を示すグラフであって、（１）は全範囲を示すものであり、（２）は（１）で示したα部分の範囲を縦軸目盛を変えて示すものである。
【図１９】実施例２の結果を示すグラフであって、（１）は全範囲を示すものであり、（２）は（１）で示したβ部分の範囲を縦軸を変えて示すものである。
【図２０】特許文献１で開示された従来の吸引ブラシを示す正面図であって、（１）はその全体構造を示すものであり、（２）はその使用状態を示すものである。
【図２１】従来の他の吸引ブラシの全体構造を示す正面図であって、（１）は吸引調整部材が第１の位置にあるときのものであり、（２）は吸引調整部材が第２の位置にあるときのものである。
【発明を実施するための形態】
【００４３】
図１はこの発明の第１の実施の形態による吸引ブラシの外観構造を示す概略正面図である。図２は図１で示したＩＩ−ＩＩラインの拡大端面図である。図３は図１で示したＩＩＩ−ＩＩＩラインの拡大端面図である。
【００４４】
まず図１を参照して、吸引ブラシ１は、合成樹脂等からなる棒状の胴本体１１と、胴本体１１に着脱自在に取り付けられる合成樹脂等からなる吸引調整部材３１とから構成されている。
【００４５】
胴本体１１は、従来の吸引ブラシ６１の胴本体７１と基本的に同様の構造であるので説明を繰り返さず、差異点を中心に説明する。
【００４６】
胴本体１１の胴部１３には、凹に形成された凹部１７ａ〜１７ｃと、凹部１７よりは凸であるがその周囲の胴部１３表面よりは凹である凸部１６ａ、１６ｂが形成されている。
【００４７】
次に図１及び図２を併せて参照して、吸引調整部材３１は、胴部１３の外延に被さるように係合可能に対応した全体形状となっている。又、吸引調整部材３１の裏面には、その内側に向かって凸であり、その形状が胴部１３の凹部１７ａ、１７ｃと対応した内側凸部１８が形成されている。
【００４８】
上述した構造によって、吸引ブラシ１の使用時には、吸引調整部材３１は胴本体１１に取り付けられている。即ち、吸引調整部材３１は、図１〜図３の一点鎖線で描くように胴部１３に取り付けられるとき、その内側凸部１８が胴部１３の凹部１７ｃに対応するように係合し、吸引調整部材３１は調整口２３を塞いでいる。又、このとき、胴部１３の凸部１６ｂの存在により、吸引調整部材３１はその位置で係止することとなる。更に、吸引調整部材３１の内側凸部１８が胴部１３の凹部１７ａと対応するように係合するときも同様に、胴部１３の凸部１６ａの存在により、吸引調整部材３１はその位置で係止する。
【００４９】
次に図１及び図３を併せて参照して、吸引調整部材３１は、スライド前後方向のうち取り付け状態において調整口２３（図示せず）の存在する方向側の端部が、調整口２３の上方において胴部１３の外面から所定距離離れるように膨出した形状となっており、吸引調整部材３１と胴部１３外面との間に隙間２８が発生する。
【００５０】
次に吸引調整部材のスライド動作について説明する。
【００５１】
図４は吸引調整部材を取り付けた吸引ブラシの外観構造及び内部構造を示す概略正面図であって、（１）は吸引調整部材が第１の位置にあるときのものであり、（２）は吸引調整部材が第２の位置にあるときのものである。図５は図４で示した“Ｘ”部分の拡大図であって、（１）はその係合状態を示すものであり、（２）はその断面構造を示すものである。図６は図４で示した“Ｙ”部分の拡大図であって、（１）はその係合状態を示すものであり、（２）はその断面構造を示すものである。
【００５２】
まず図４の（１）を参照して、吸引調整部材３１は第１の位置において胴本体１１に取り付けられている。又、図５の（１）を参照して、このとき、吸引調整部材３１の内側凸部１８と胴部１３の凹部１７ｃとが係合している。更に、図５の（２）を参照して、このとき、吸引調整部材３１は調整口２３を塞いでおり、調整口２３は通気することのできない非通気状態である。そして、この吸引ブラシ１の使用に際しては、図示しない吸引装置４１を稼働させることにより、通気路２１内部において図の一点鎖線で描いた矢印の方向に吸引力が働く。このとき、調整口２３からは通気することが無いため、先端部での吸引力が発揮される吸引状態となる。
【００５３】
次に図４の（２）を参照して、吸引調整部材３１は第２の位置において胴本体１１に取り付けられている。又、図６の（１）を参照して、このとき、吸引調整部材３１の内側凸部１８と胴部１３の凹部１７ａとが係合している。更に、図６の（２）を参照して、このとき、吸引調整部材３１は調整口２３に対して所定距離離れて覆っており、調整口２３は隙間２８を介して通気することのできる通気状態である。尚、吸引調整部材３１は調整口２３の露出面２６の上方において胴部１３の外面から一定距離だけ離れる平行状態となるように形成されている。そして、この吸引ブラシ１の使用に際しては、図示しない吸引装置４１を稼働させることにより、通気路２１内部において図の一点鎖線で描いた矢印の方向に吸引力が働く。このとき、調整口２３から主に通気することとなるため、先端部での吸引力がほとんど発揮されない非吸引状態となる。
【００５４】
又、図４の（１）に示すような第１の位置にある吸引ブラシ１は、図の一点鎖線で描いた矢印の方向に吸引調整部材３１をスライドさせると、図４の（２）に示すような第２の位置において係止する。逆も同様である。
【００５５】
即ち、吸引調整部材３１をスライドさせることによって、調整口２３の非通気状態と通気状態とを自在に切り替えることができ、それによって先端方向にある清掃部１２の吸引口２２の吸引状態と非吸引状態とを自在に切り替えることができる。そのため、使用に際して使用者の指の使用が拘束される不便が無い。更に、吸引調整部材３１によって調整口２３から排出される唾液や洗浄液等が外部から見えたり触れたりすることが無くなる効果が存在するが、それについては後述する。
【００５６】
次に、この吸引ブラシを上方（胴部表面において調整口が存在する方向）から見たときの状態を説明する。
【００５７】
図７は吸引ブラシを、調整口を上方から見た外観構造を示す概略平面図であって、（１）は吸引調整部材が第１の位置にあるときのものであり、（２）は吸引調整部材が第２の位置にあるときのものである。
【００５８】
（１）及び（２）を参照して、調整口２３は常に吸引調整部材３１に覆われている。そのため、吸引ブラシ１の使用に際して、調整口２３から排出される唾液や洗浄液等は外部から見えたり触れたりすることがなく、使用状態が安定している。
【００５９】
以上説明したように、この実施の形態による吸引ブラシ１の吸引調整部材３１は、常に調整口２３を覆うこととなる効果を奏することを効率的に達成した形状である。吸引調整部材３１をコンパクトにすることで、最小限の力で確実に吸引状態又は非吸引状態を切り替えられ、又、その状態を維持することができ使用勝手が向上すると共に、包装や輸送に有利となるものである。
【００６０】
ここで、調整口が常に吸引調整部材に覆われている吸引ブラシは、調整口を外部から見えなくするという効果を奏する。しかしその反面、調整口が非通気状態にあるか又は通気状態にあるかを外部から視認しづらいため、その使用に際して現在吸引状態であるか非吸引状態であるかを外部から直感的に判断することができないという新たな不具合が発生する虞がある。
【００６１】
（１）及び（２）を参照して、この点について、吸引ブラシ１には、胴部１３の表面であって、吸引調整部材３１が第１の位置にあるときは吸引調整部材３１によって覆われていないが吸引調整部材３１が第２の位置にあるときは吸引調整部材３１によって覆われている位置３８に、吸引状態にある旨を示す第１の表示３３が付されており、胴部１３の表面であって、吸引調整部材３１が第１の位置にあるときは吸引調整部材３１によって覆われているが吸引調整部材３１が第２の位置にあるときは吸引調整部材３１によって覆われていない位置３９に、非吸引状態にある旨を示す第２の表示３４が付されている。
【００６２】
そのため、吸引ブラシ１は、（１）に示すように吸引調整部材３１が第１の位置にあるときは、第１の表示３３のみが現れる。又、（２）に示すように吸引調整部材３１が第２の位置にあるときは、第２の表示３４のみが現れる。
【００６３】
これによって、吸引調整部材３１によって常に調整口２３が覆われている吸引ブラシ１であっても、第１の表示３３又は第２の表示３４を確認することによって、直感的に吸引が可能であるかの判断が可能となっており、上述した不具合を解決し、更に使い勝手が向上する。
【００６４】
次に、この吸引ブラシの隙間周辺の構造について説明する。
【００６５】
図８は隙間の距離の異なる吸引調整部材を用いた吸引ブラシの内部構造を示す拡大図であって、（１）は隙間の距離が相対的に短いものであり、（２）は隙間の距離が相対的に長いものである。尚、図８は、図６の“Ｙ”部分に対応した範囲を示す。図９は図８で示したＩＸ−ＩＸラインの端面図である。
【００６６】
図８及び図９を参照して、吸引調整部材３１は第２の位置にあり、調整口２３は通気状態であり、吸引ブラシ１は非吸引状態である。
【００６７】
隙間２８の距離Ｈ１、Ｈ２は、隙間２８における吸引調整部材３１の裏面から胴部１３の外面までの距離であり、使用時における隙間２８及び調整口２３からの吸引量、即ち先端部の吸引効果に影響する。通常、（１）に示す隙間２８の距離が相対的に短いＨ１のものに比べ、（２）に示す相対的に長いＨ２のものの方が吸引量が大きくなると予想される。
【００６８】
図１０は図８で示したＸ−Ｘラインの拡大端面図である。
【００６９】
図を参照して、Ｗは、図９の（２）で示したような平面で定義した露出面２６に対する平行面３６における胴部１３の幅の投影距離である。
【００７０】
隙間２８、即ち吸引調整部材３１の裏面と胴部１３の外面に囲まれる部分の面積が、使用時における隙間２８からの吸引量に影響する。そして、隙間２８の面積はＨ２×Ｗであるため、Ｗを一定としたとき、隙間２８の距離（例えばＨ２）が長いものほど隙間２８からの吸引量が大きくなる。この隙間の距離の変化に応じた吸引量の変化についての実施例による詳細は後述する。
【００７１】
そして、使用時における隙間２８及び調整口２３からの吸引量がより大きい場合、上述したように先端部での吸引力は低下するため、吸引調整部材を第２の位置としたときの非吸引効果がより発揮されることとなる。
【００７２】
次に、この発明の第２の実施の形態による吸引ブラシについて説明する。この吸引ブラシは、第１の実施の形態による吸引ブラシとの差異点が吸引調整部材の構造にあるため、吸引調整部材の構造を中心に以下説明する。
【００７３】
図１１はこの吸引ブラシであって、傾斜角度の異なる吸引調整部材を用いたものの内部構造を示す拡大図であって、図８に対応するものであり、（１）は傾斜角度が相対的に小さいものであり、（２）は傾斜角度が相対的に大きいものである。図１２は図１１で示したＸＩＩ−ＸＩＩラインの端面図である。
【００７４】
図１１及び図１２を参照して、吸引調整部材３１は第２の位置にあり、調整口２３は通気状態であり、吸引ブラシ６は非吸引状態である。尚、吸引調整部材３１は、図示しない第１の位置においては第１の実施の形態と同様に調整口２３の周囲全体に対して密着する。
【００７５】
そして吸引調整部材３１は、第２の位置において調整口２３の露出面２６の上方において外方方向に拡がる傾斜状態となるように形成されている。この構成により指がかりが大きくなるため吸引調整部材３１は操作し易くなり、使用勝手が向上している。又、傾斜状態の傾斜角度θ（露出面２６とその上方に存在する吸引調整部材３１の裏面とによって形成される角度）は、（１）においてθ１であり、（２）においてθ２であり、θ２＞θ１となっている。通常、（１）に示す傾斜角度が相対的に小さいθ１のものに比べ、（２）に示す相対的に大きいθ２のものの方が、使用時における隙間２８からの吸引量が大きくなり、その結果吸引調整部材を第２の位置としたときの非吸引効果がより発揮されると予想される。
【００７６】
尚、第２の実施の形態にあっては、図１２に示すような特定箇所（ＸＩＩ−ＸＩＩライン）の断面において特定の隙間の距離であるものは、第１の実施の形態において同一の隙間の距離であるものとは必ずしもその吸引量等の効果は対応しない。吸引調整部材３１の構造の相違により、隙間２８から調整口２３までの通気経路の幅や空気の流入角度が相違するためである。
【００７７】
ところで、従来の吸引ブラシでは、吸引調整部材を第２の位置にしたときには、使用時に調整口から全面的に通気し吸引ブラシが非吸引状態になるため、吸引調整部材の形状がもたらす機能に着目する必要が無かった。しかし、この発明による吸引ブラシは吸引調整部材によって調整口が常に覆われているために、吸引調整部材の裏面と胴部の外面とからなる隙間が十分に存在していなければ、吸引調整部材を第２の位置にしたときに、たとえ調整口からは全面的に通気するとしても隙間からの空気の流入量が少なくなるために吸引ブラシが十分に非吸引状態とはならず、即ち吸引調整部材を第２の位置にしたときの非吸引効果が十分に発揮されないという新たな課題を発見した。
【００７８】
そして上述のように、隙間の距離を大きくしたり傾斜角度を大きくしたりすると、使用時における隙間からの吸引量もそれに伴って大きくなると通常は予想しがちである。逆も同様に、隙間の距離を極端に小さくしたり傾斜角度を極端に小さくしたりした場合は、隙間に空気が整列しづらい結果流入量が少なくなる等の理由からほとんど吸引されなくなると予想しがちである。
【００７９】
しかし実際は、隙間の距離又は傾斜角度の変化に伴って吸引量が変化するのは一定の範囲に留まり、隙間の距離が特定の数値より大きい場合や傾斜角度が特定の数値より大きい場合には、吸引量は予想に反した変化となる。又、隙間の距離が特定の数値より小さい場合や傾斜角度が特定の数値より小さい場合にも、吸引量は予想に反した変化となる。これらについては、後に実施例に基づき説明する。
【００８０】
次に、この発明の他の実施の形態による吸引ブラシについて説明する。
【００８１】
図１３はこの発明の他の実施の形態による吸引ブラシの胴部周辺の形態を示す正面図である。
【００８２】
この吸引ブラシの基本的な構成及び機能は第１の実施の形態のものと同様であるため、その記載は繰り返さず、相違点である胴部周辺を中心に説明する。
【００８３】
図を参照して、吸引ブラシ１の胴部１３は、胴部１３が幅方向全周にわたって凹んだ形状となっている把持部５０を有する。使用時に把持部５０に指を置くことで使用状態をより安定させることができる。
【００８４】
又、吸引調整部材３１は、その表面に突起部４９を有する。吸引調整部材３１の位置を切り替える際に突起部４９に指を引っ掛けることができ、スライド動作の使用勝手が向上する。
【００８５】
更に、吸引ブラシ１はその後端部にコロネ形状の連結部５１を有する。図示しない吸引装置接続チューブ４２を吸引ブラシ１の後端部に接続する際に、引っ掛かりが良くなり使用勝手が向上する。尚、後述する図１７に示すノコギリ形状等の他の形状でも良い。
【００８６】
図１４はこの発明の更に他の実施の形態による吸引ブラシの吸引調整部材の形態を示す拡大正面図である。
【００８７】
この吸引ブラシの基本的な構成及び機能は第１の実施の形態のものと同様であるため、その記載は繰り返さず、相違点である吸引調整部材を中心に説明する。
【００８８】
図を参照して、吸引調整部材３１は第２の位置において、調整口２３の露出面２６の上方において外方方向に拡がる傾斜状態であると共に、その一部５２は胴部１３の外面から一定距離だけ離れる平行状態となるように形成されている。これによって、調整口２３を外部から見えなくする効果をより高めることができる。又、この吸引調整部材３１にあっても、第２の位置にあるとき非吸引効果を発揮することができる。
【００８９】
又、調整口２３の上方に来ることのない吸引調整部材３１の部分は、胴部１３に密着しているもの等、他の形状でも良い。
【００９０】
図１５はこの発明の更に他の実施の形態による吸引ブラシの清掃部の形態を示す拡大正面図である。
【００９１】
この吸引ブラシの基本的な構成及び機能は第１の実施の形態のものと同様であるため、その記載は繰り返さず、相違点である清掃部を中心に説明する。
【００９２】
まず図の（１）を参照して、清掃部１２が備える清掃部材１９の刷毛は公知のいかなる素材、本数、束数、長さ、形状のものでも良い。
【００９３】
次に図の（２）を参照して、清掃部材１９はスポンジのものでも良い。
【００９４】
次に図の（３）を参照して、清掃部１２は、スポンジの清掃部材１９ａ及び刷毛の清掃部材１９ｂの両方を備えていても良い。
【００９５】
又、これらの清掃部１２において、軸方向正面に位置する吸引口２２ａ、清掃部材１９（（３）に示すものにあっては１９ｂ）の存在する中に位置する２２ｂ、その２２ｂの逆方向に位置する２２ｃのように、吸引口２２が複数あっても良いし、その各々が清掃部１２のどの位置にあっても良い。尚、通気路２１の正面に位置する吸引口２２ａは存在する方が通気路２１の形成の観点から製造に都合が良い。
【００９６】
尚、上記の各実施の形態にあっては、吸引ブラシは合成樹脂等からなるが、例えばポリプロピレン、ポリエチレン、ポリエチレンテレフタレート、ポリブチレンテレフタレート、ポリアミド、ＡＢＳ樹脂等が挙げられる。
【００９７】
又、上記の各実施の形態にあっては、調整口、吸引調整部材及びそれらの係合部が胴部の特定の位置にあるが、胴部のどの位置にあっても良い。但し、吸引調整効果の点からは、胴部の後端側半分領域にあった方が良い。又、調整口の数が複数あっても良い。更に、係合部の構造は他の構造でも良い。
【００９８】
更に、上記の各実施の形態にあっては、吸引調整部材は第１の位置が第２の位置よりも吸引ブラシの後端方向の特定位置で係止する状態であるが、逆でも良い。
【００９９】
更に、上記の各実施の形態にあっては、吸引調整部材が第１の位置又は第２の位置の２段階において係止するが、加えて、調整口を半分程度塞ぐ中間位置等３以上の段階において係止できる構造でも良い。
【０１００】
更に、上記の各実施の形態にあっては、吸引調整部材が胴部の全周を特定の割合で覆うように密着している形状であるが、その他の割合で覆う形状でも良い。
【０１０１】
更に、上記の各実施の形態にあっては、吸引調整部材の色は特定されないが、透明であっても良いし不透明であっても良い。尚、不透明であれば調整口を覆うことによる視覚効果が更に向上する。
【０１０２】
更に、上記の各実施の形態にあっては、胴部表面において吸引状態又は非吸引状態である旨を示す第１の表示及び第２の表示は「ＯＮ」及び「ＯＦＦ」の文字で表しているが、「吸引」及び「非吸引」等他の文字表示であっても良いし、それらの文字が浮き出し形状もしくは点字であっても良いし、光、音、振動その他の状態変化を使用者に感得させることにより吸引状態又は非吸引状態のいずれの状態にあるかが判断できる手段であっても良い。又、第１の表示及び第２の表示、又はそのいずれかが無くても良い。
【０１０３】
更に、上記の各実施の形態にあっては、吸引調整部材はスライド自在に胴部に係合しているが、吸引調整部材が第２の位置にあるとき調整口の上方に位置する吸引調整部材の部分が傾斜したり、あるいは平行状態に離れたりするように上下に動くことで調整口が開閉するようになっている等、移動自在であっても同様の効果を奏することができる。
【０１０４】
更に、上記の各実施の形態にあっては、棒状の胴本体が円柱形状であるが、角柱等他の棒形状でも良い。
【０１０５】
更に、上記の各実施の形態にあっては、調整口が平面視矩形であるが、円形や楕円形等他の形状でも良い。その場合、調整口の吸引効果はその露出面の面積によって換算すれば良い。
【０１０６】
更に、上記の各実施の形態にあっては、吸引調整部材が第１の位置又は第２の位置において係止するが、吸引調整部材にバネ等の付勢手段を付加して一方の位置へ付勢しても良い。その場合、通常は第１の位置又は第２の位置において係止しているが、指で力を加えている間だけ他方の位置に切り替えることができ、指を離すと元の位置に戻る等、使い勝手が向上する。
【実施例１】
【０１０７】
この発明の第１の実施の形態による吸引ブラシに相当する中空筒を用いて、隙間の距離を変化させたときの先端部での吸引力を測定する実験を行った。
【０１０８】
図１６はこの実施の形態に対応する吸引ブラシの吸引力を測定する実験の仕組みを示す模式図である。図１７は図１６で示した中空筒であって、調整口の大きさの異なるものを示す概略平面図であって、（１）は調整口の大きさが相対的に小さいものであり、（２）は調整口の大きさが相対的に大きいものである。但し、図１７における中空筒は吸引調整部材を取り付けていない状態である。
【０１０９】
図１６及び図１７を参照して、中空筒４４は、吸引ブラシの清掃部を除外しその他の構造は同様としたものであり、この実験においては各実施の形態の吸引ブラシの胴本体に相当する。中空筒４４の胴部１３には吸引調整部材３１が取り付けられており、吸引調整部材３１は第２の位置にある。中空筒４４後端の排出部１４における排出口２４は、吸引装置接続チューブ４２を介して吸引装置４１と接続されている。中空筒４４先端の吸引口２２は、微差圧計接続チューブ４７を介して微差圧計４６と接続されている。
【０１１０】
吸引装置４１は、この実験においては吸引力約−１７９２．６Ｐａのアスピレーターを用いた。
【０１１１】
微差圧計４６は、株式会社エムケー・サイエンティフィックの微差圧計ＤＴ−８９２０を用いた。
【０１１２】
吸引装置接続チューブ４２及び微差圧計接続チューブ４７は、共に外径１０ｍｍ、穴径６ｍｍ、長さ８５０ｍｍのものを用いた。
【０１１３】
図１７の（１）を参照して、中空筒４４の通気路２１の直径Ｌ１は４．４ｍｍ、中空筒４４の軸方向の長さＬ２は１０５．０ｍｍ、調整口２３から後端までの長さＬ３は５１．４ｍｍであり、胴部１３の幅Ｗは１１．６ｍｍである。
【０１１４】
そして、中空筒４４は調整口２３の大きさのみを変化させた５種類のものを用意した。調整口２３の図１７に示す方向視における大きさ（ｍｍ）と面積（ｍｍ２）が（ｉ）３×４＝１２、（ｉｉ）４．５×４＝１８、（ｉｉｉ）６×４＝２４、（ｉｖ）８×４＝３２、（ｖ）１０×４＝４０の５種類である。尚、図１７の（１）に示す調整口２３が（ｉ）３×４の大きさのものであり、（２）に示す調整口２３が（ｖ）１０×４の大きさのものである。
【０１１５】
又、吸引調整部材３１は隙間の距離（例えば図８及び図９で示した隙間２８の距離Ｈ１又はＨ２）（ｍｍ）をそれぞれ０．３、０．５、１．０、２．０、３．０、４．０、５．０、７．０とした８種類のものを用意し、隙間の距離が０のものに相当する調整口の周囲全体に対して密着した状態と、吸引調整部材３１が存在しないオープン状態を加え、計１０種類の条件を用意した。
【０１１６】
実験に際しては、図１６を参照して、吸引装置４１を稼働し負圧を発生させ、図示しない通気路２１内部において図の一点鎖線で描いた矢印の方向に吸引力を働かせ、吸引調整部材３１が第２の位置にあるときの先端吸引口２２における負圧を微差圧計４７で測定した。
【０１１７】
実験の結果は以下のようになった。
【０１１８】
【表１】
0006579658.tif 000002
表を参照して、表の数値（先端吸引口２２における負圧の数値であり、単位はＰａである。）の絶対値が大きいものほど、先端吸引口において吸引力が大きいということになり、即ち吸引調整部材が第２の位置にあるときの非吸引効果を発揮できていないということになる。この場合、吸引調整部材の位置を切り替えても先端吸引口からは吸引が続くことになり、吸引ブラシとしての使用に耐えない。又、逆も成り立ち、表の数値の絶対値が小さいものほど、吸引ブラシとしての使用において優秀である。
【０１１９】
具体的には、表の数値の絶対値が２００より小さければ、吸引ブラシとしての使用に十分適する非吸引効果を発揮するため、○（適する）と評価した。又、表の数値の絶対値が８０より小さければ、吸引ブラシとしての使用において、吸引調整部材が無いオープン状態と同程度に及ぶ優れた非吸引効果を発揮するため、◎（優秀である）と評価した。更に、表の数値の絶対値が２００より大きければ、吸引ブラシとしての使用に耐えない非吸引効果しか発揮されないため、×（適さない）と評価した。
【０１２０】
隙間の距離が０のものでは、先端吸引口における吸引力は吸引装置からの負圧とほぼ同等となった。又、隙間の距離を少しでも発生させたもの（０．３のものや０．５のもの）では、予想に反して急激に非吸引効果が発揮されることとなった。全体的には、隙間の距離を大きくするほど非吸引効果も強く発揮される傾向が見られた。
【０１２１】
実験の結果から、まず、隙間の距離が１．０以上の吸引ブラシは、調整口が（ｉ）〜（ｖ）のいずれの場合においても、表の数値の絶対値が８０より小さい。又、これ以上は隙間の距離を大きくしても非吸引効果がほとんど変化しないという予想外の結果となっている。このように、隙間の距離が１．０ｍｍ以上である吸引ブラシは、吸引調整部材が第２の位置にあるとき、吸引調整部材によって調整口が覆われているにも拘らず、吸引調整部材が無い場合（オープン状態）と同程度に及ぶ優れた非吸引効果を発揮するものである。
【０１２２】
次に、隙間の距離が０．５以上の吸引ブラシは、調整口が（ｉ）〜（ｖ）のいずれの場合においても、表の数値の絶対値が２００より小さく、吸引ブラシとしての使用に十分適する非吸引効果を発揮する。しかし、隙間の距離が５．０より大きいものは、吸引ブラシの使用を続けた時に、調整口から少量排出される唾液や洗浄液が外部から目に触れる可能性が高くなり、吸引調整部材が調整口を常に覆っていることによる視覚効果が弱くなってしまう問題が発生する。そのため、隙間の距離が０．５ｍｍ以上５．０ｍｍ以下の範囲内の吸引ブラシが、吸引調整部材が第２の位置にあるとき、吸引ブラシとしての使用に十分適する非吸引効果を発揮するばかりでなく、吸引調整部材が調整口を常に覆っていることにより調整口から排出される唾液や洗浄液が外部から目に触れなくなる効果も併せて確保される、使用勝手が極めて良いものである。
【０１２３】
次に、隙間の距離が０を除き２．０以下である吸引ブラシは、その範囲内において隙間の距離を大きくするとそれに伴い非吸引効果も急激に高まる。
【０１２４】
図１８は実施例１の結果を示すグラフであって、（１）は全範囲を示すものであり、（２）は（１）で示したα部分の範囲を縦軸目盛を変えて示すものである。
【０１２５】
図を参照して、（１）においては、横軸は隙間の距離（ｍｍ）を表し、縦軸は表１の数値の絶対値、即ち差圧（Ｐａ）を表している。（２）においては、横軸は同様であるが、縦軸を対数目盛で表している。
【０１２６】
又、（２）は（１）で示したα部分の範囲、即ち隙間の距離０、０．３、０．５、１．０、２．０のものの表１の数値の絶対値について、調整口（ｉ）〜（ｖ）のそれぞれについてプロットしている。
【０１２７】
図の（２）の直線で示すように、調整口が（ｉ）〜（ｖ）のいずれの場合においても、実験の結果は隙間の距離が０を除き２．０以下の範囲においてはｙ＝５６５．７７ｅ−２．１８７ｘで表される指数近似直線で近似することができる。これによって、吸引ブラシとしての使用用途には限定せず、例えば同実験において数値が約１００となる吸引力を発揮する吸引ブラシを求める場合は隙間の距離を約０．８ｍｍに設計すれば良い。
【０１２８】
そして、隙間の距離が２．０より大きいものについては、隙間の距離を変化させても吸引力がほぼ変化しなくなるため、近似することができず、ひいては所望の吸引力を発揮する吸引ブラシを設計することができない範囲となる。
【０１２９】
上述したように、この発明の吸引ブラシにおいては、通常の予想に反して隙間の距離が一定以下に小さいものでも急激に非吸引効果を発揮し始め、隙間の距離が一定以上に大きいと非吸引効果が変化しなくなる。それに対して、隙間の距離が０を除き２．０ｍｍ以下であれば、上記近似式が成り立ち、求める吸引力を発揮する吸引ブラシを設計することができるという性質を発見した。
【実施例２】
【０１３０】
上述したように、第２の実施の形態による吸引ブラシでは、それと隙間の距離が同じ第１の実施の形態のものとを比較しても非吸引効果が同じになるわけではない。そのため、第２の実施の形態による吸引ブラシの、吸引調整部材が第２の位置にあるときの非吸引効果を求める場合には、改めて実験をする必要がある。
【０１３１】
そのため、この発明の第２の実施の形態による吸引ブラシに相当する中空筒を用いて、傾斜角度を変化させたときの先端部での吸引力を測定する実験を行った。
【０１３２】
吸引ブラシの実施の形態が相違する他は、実験条件は図１６及び図１７で示した実施例１のものと同様であるため、その記載を繰り返さない。
【０１３３】
図１７の（１）を参照して、中空筒４４の通気路２１の直径Ｌ１は４．４ｍｍ、中空筒４４の軸方向の長さＬ２は１０５．０ｍｍ、調整口２３から後端までの長さＬ３は５１．４ｍｍであり、胴部１３の幅Ｗは１１．６ｍｍである。
【０１３４】
そして、中空筒４４は調整口２３の大きさのみを変化させた５種類のものを用意した。調整口２３の図１７に示す方向視における大きさ（ｍｍ）と面積（ｍｍ２）が（ｉ）３×４＝１２、（ｉｉ）４．５×４＝１８、（ｉｉｉ）６×４＝２４、（ｉｖ）８×４＝３２、（ｖ）１０×４＝４０の５種類である。尚、図１７の（１）に示す調整口２３が（ｉ）３×４の大きさのものであり、（２）に示す調整口２３が（ｖ）１０×４の大きさのものである。
【０１３５】
又、吸引調整部材３１は傾斜角度（度）をそれぞれ５、１０、２０、３０、４５、６０、７０、８０とした８種類のものを用意し、傾斜角度が０のものに相当する調整口の周囲全体に対して密着した状態と、吸引調整部材３１が存在しないオープン状態を加え、計１０種類の条件を用意した。
【０１３６】
実験に際しては、図１６を参照して、吸引装置４１を稼働し負圧を発生させ、図示しない通気路２１内部において図の一点鎖線で描いた矢印の方向に吸引力を働かせ、吸引調整部材３１が第２の位置にあるときの先端吸引口２２における負圧を微差圧計４７で測定した。
【０１３７】
実験の結果は以下のようになった。
【０１３８】
【表２】
0006579658.tif 000003
表中の各数値に対する評価は、実施例１と同一の評価基準とする。
【０１３９】
傾斜角度が０のものでは、先端吸引口における吸引力は吸引装置からの負圧とほぼ同等となった。又、傾斜角度を少しでも発生させたもの（５のものや１０のもの）では、予想に反して急激に非吸引効果が発揮されることとなった。全体的には、傾斜角度を大きくするほど非吸引効果も強く発揮される傾向が見られた。
【０１４０】
実験の結果から、まず、傾斜角度が２０以上の吸引ブラシは、調整口が（ｉ）〜（ｖ）のいずれの場合でも、表の数値の絶対値が８０より小さい。又、これ以上は傾斜角度を大きくしても非吸引効果がほとんど変化しないという予想外の結果となっている。このように、傾斜角度が２０度以上である吸引ブラシは、吸引調整部材が第２の位置にあるとき、吸引調整部材によって調整口が覆われているにも拘らず、吸引調整部材が無い場合（オープン状態）と同程度に及ぶ優れた非吸引効果を発揮するものである。
【０１４１】
次に、傾斜角度が１０以上の吸引ブラシは、調整口が（ｉ）〜（ｖ）のいずれの場合においても、表の数値の絶対値が２００より小さく、吸引ブラシとしての使用に十分適する非吸引効果を発揮する。しかし、傾斜角度が７０より大きいものは、吸引ブラシの使用を続けた時に、調整口から少量排出される唾液や洗浄液が外部から目に触れる可能性が高くなり、吸引調整部材が調整口を常に覆っていることによる効果が弱くなってしまう問題が発生する。そのため、傾斜角度が１０以上７０以下の範囲内である吸引ブラシが、吸引調整部材が第２の位置にあるとき、吸引ブラシとしての使用に十分適する非吸引効果を発揮するばかりでなく、吸引調整部材が調整口を常に覆っていることにより調整口から排出される唾液や洗浄液が外部から目に触れなくなる効果も併せて確保される、使用勝手が極めて良いものである。
【０１４２】
次に、傾斜角度が０を除き２０以下である吸引ブラシは、その範囲内において傾斜角度を大きくするとそれに伴い非吸引効果も急激に高まる。
【０１４３】
図１９は実施例２の結果を示すグラフであって、（１）は全範囲を示すものであり、（２）は（１）で示したβ部分の範囲を縦軸を変えて示すものである。
【０１４４】
図を参照して、（１）においては、横軸は傾斜角度（度）を表し、縦軸は表２の数値の絶対値、即ち差圧（Ｐａ）を表している。（２）においては、横軸は同様であるが、縦軸を対数目盛で表している。
【０１４５】
又、（２）は（１）で示したβ部分の範囲、即ち傾斜角度０、５、１０、２０のものの表２の数値の絶対値について、調整口（ｉ）〜（ｖ）のそれぞれについてプロットしている。
【０１４６】
図の（２）の直線で示すように、調整口が（ｉ）〜（ｖ）のいずれの場合においても、実験の結果が傾斜角度が０を除き２０以下の範囲においてはｙ＝６０２．８７ｅ−０．２７９ｘで表される指数近似直線で近似することができる。これによって、吸引ブラシとしての使用用途には限定せず、例えば同実験において数値が約１００となる吸引力を発揮する吸引ブラシを求める場合は傾斜角度を約６度に設計すれば良い。
【０１４７】
そして、傾斜角度が２０より大きいものについては、傾斜角度を変化させても吸引力がほぼ変化しなくなるため、近似することができず、ひいては所望の吸引力を発揮する吸引ブラシを設計することができない範囲となる。
【０１４８】
上述したように、この発明の吸引ブラシにおいては、通常の予想に反して傾斜角度が一定以下に小さいものでも急激に非吸引効果を発揮し始め、傾斜角度が一定以上に大きいと非吸引効果が変化しなくなる。それに対して、傾斜角度が０を除き２０度以下であれば、上記近似式が成り立ち、求める吸引力を発揮する吸引ブラシを設計することができるという性質を発見した。
【符号の説明】
【０１４９】
１…吸引ブラシ
２…吸引ブラシ
１１…胴本体
１２…清掃部
１３…胴部
１４…排出部
２１…通気路
２２…吸引口
２３…調整口
２４…排出口
２６…露出面
２８…隙間
３１…吸引調整部材
３３…第１の表示
３４…第２の表示
３６…平行面
３８…位置
３９…位置
尚、各図中同一符号は同一又は相当部分を示す。
【図１】
0006579658.tif 000004
【図２】
0006579658.tif 000005
【図３】
0006579658.tif 000006
【図４】
0006579658.tif 000007
【図５】
0006579658.tif 000008
【図６】
0006579658.tif 000009
【図７】
0006579658.tif 000010
【図８】
0006579658.tif 000011
【図９】
0006579658.tif 000012
【図１０】
0006579658.tif 000013
【図１１】
0006579658.tif 000014
【図１２】
0006579658.tif 000015
【図１３】
0006579658.tif 000016
【図１４】
0006579658.tif 000017
【図１５】
0006579658.tif 000018
【図１６】
0006579658.tif 000019
【図１７】
0006579658.tif 000020
【図１８】
0006579658.tif 000021
【図１９】
0006579658.tif 000022
【図２０】
0006579658.tif 000023
【図２１】
0006579658.tif 000024